(57)【要約】【課題】適数個の商品棚が配設されている商品部とレジ部と整理部が設けられているスーパーマーケット、コンビニエンスストア、家電の量販店などの店舗においては、大量の商品を陳列棚に陳列しているが、老人や未成年者の万引きが多発しており、その万引きの防止が熱望されている。【解決手段】顧客が商品棚から商品を選択して買い物する場合に使用する買物用カゴ８と、商品の清算が済んだ商品を入れる会計用カゴ９とからなり、買物用カゴと会計用カゴとは外観上異なったものに構成されている。【選択図】図３
0003139716.tif 000002
【実用新案登録請求の範囲】
【請求項１】
適数個の商品棚２Ａ、２Ａ...が配設されている商品部２とレジ部３と整理部４が設けられているスーパーマーケット、コンビニエンスストア、家電の量販店などの店舗の店内１において、顧客が商品部２の商品棚から所望する商品を選んで入れる買物用カゴ８と、レジ部３では店員が、顧客が持参した買物用カゴ８内の商品を清算して入れる会計用カゴ９から構成され、買物用カゴ８と会計用カゴ９は外観上異なった状態に構成されていることを特徴とする万引き防止用具。
【請求項２】
買物用カゴ８と会計用カゴ９には、異なった着色が施されている請求項１記載の万引き防止用具。
【請求項３】
買物用カゴ８と会計用カゴ９には、当該カゴが買物用カゴあるいは会計用カゴであることを示す表示が施されている請求項１記載の万引き防止用具。
【請求項４】
買物用カゴ８と会計用カゴ９は、互いに異なった形状に構成されている請求項１記載の万引き防止用具。
【請求項５】
商品棚の上面にはミラー１０が植設されている請求項１ないし請求項４記載の万引き防止用具。
【請求項６】
ミラー１０は支柱下端の吸盤で商品棚の上面に取り付け可能に構成されていると共に、ミラー本体は支柱に対して支持角度を調整自在に構成されている請求項１ないし請求項５記載の万引き防止用具。
【考案の詳細な説明】
【技術分野】
【０００１】
本考案は、新規な構成を有する万引き防止用具に関するものである。
【背景技術】
【０００２】
従来のこの種の技術は、下記のようになっている。
スーパーマーケット、コンビニエンスストア、家電の量販店などの店舗においては、大量の商品を陳列棚に陳列している。
買い物客は、所望する商品を陳列棚より買物カゴに入れて、所謂レジに持参し商品の精算をする。
【０００３】
従来のものを図１、図２を参照して、具体的に説明する。
図中、１は下記の構成を有するスーパーマーケットなどの店舗の店内で、内部には商品部２、レジ部３、整理部４が設けられている。
【０００４】
イ．商品部２は、適数個の商品棚２Ａ、２Ａ...を配設して構成され、商品棚には各種商品が陳列されている。
この商品部２は公知のものである。
ロ．５は顧客で、買物カゴ６を使用して買い物をしている。
【０００５】
ハ．レジ部３は適数個の会計台３Ａ、３Ａ...を配設して構成されている。
会計台３Ａには顧客の通路３Ｂに沿って会計用処理台３Ｃが設けられ、会計用処理台３Ｃの上面には商品部２側から整理部４側に向けて順に、買物カゴ載置面３Ｃ１と中央のＰＯＳ端末器設置面３Ｃ２と会計カゴ載置面３Ｃ３が設けられている。なお、ＰＯＳ端末器設置面には公知のＰＯＳ端末器３Ｃ２１が配設されている。
また、会計台の近傍には、精算後の空になった買物カゴ６が積層されている。
店員７は精算に際して、この精算後の空になった買物カゴ６を取り出し会計カゴ載置面３Ｃ３上に置き、会計カゴとして使用することになる。
二．整理部４は、レジ部３から少し離れた位置をもって配設された適数個の整理台４Ａ、４Ａ...から構成されている。
【０００６】
従来のものの使用状態を説明する。
イ．顧客は買物カゴ６を使用して買い物をした後、買物カゴをレジ部３の会計用処理台３Ｃにおける買物カゴ載置面３Ｃ１上に置く。
ロ．店員は買物カゴ６内の商品を取り出しＰＯＳ端末器３Ｃ２１で処理し、会計カゴ載置面３Ｃ３上に会計カゴとして載せた買物カゴ６にその商品を入れる。
これと同時に、その店の商標を付している包装袋（図示略）などを買物カゴにサービスとして入れる。
ハ．顧客は代金を支払う。
二．そののち、顧客は精算済みの商品が入っている買物カゴ６を持って整理台４Ａに行き、商品を整理して店外に出る。
【０００７】
従来のスーパーマーケットなどの店舗の店内での買い物、代金清算などの実情は上述の状態であるが、万引きが多発しており、社会問題となっていることは由々しき問題である。
しかし、有効な手段が無いことも悲しい現実である。
この点に関して、先行文献として特許文献１があり、これには重量計及び数量カウント機能付きのバスケットを使用することが記載されている。
【０００８】
【特許文献１】特開２００５−５６３７０公報
【考案の開示】
【考案が解決しようとする課題】
【０００９】
従来の技術には、一応下記のような問題点を指摘することができる。
イ．特許文献１に記載のものでは、店内の随所に設けたバーコード読取り端末機を使用しなければならないことになっている。
このため、バスケットのほか、店内にこれに対応する装置を設置する必要があるため、膨大な設備投資を要するなどの問題がある。
【００１０】
ロ．図１、２で示す従来の状態では、買い物時で使用する買物カゴを商品精算時にも使用しているので、顧客が持っている買物カゴに入っている商品が精算済みかどうかが判らない。
ここに不心得者がそのまま店外に持ち出す余地があり、万引きがはびこる原因となっているのである。
以上の状態に鑑み、本考案は従来のスーパーマーケットなどの店舗の店内での買い物や代金精算など実態を変更することなく確実に万引きを防止できるものを提供しようとするものである。
【課題を解決するための手段】
【００１１】
本考案は、上述のような問題を解決するため、下記のようになるものである。
請求項１記載の考案は、適数個の商品棚２Ａ、２Ａ...が配設されている商品部２とレジ部３と整理部４が設けられているスーパーマーケット、コンビニエンスストア、家電の量販店などの店舗の店内１において、顧客が商品部２の商品棚から所望する商品を選んで入れる買物用カゴ８と、レジ部３では店員が、顧客が持参した買物用カゴ８内の商品を清算して入れる会計用カゴ９から構成され、買物用カゴ８と会計用カゴ９は外観上異なった状態に構成されている万引き防止用具である。
【００１２】
請求項２記載の考案は、請求項１記載の万引き防止用具において、買物用カゴ８と会計用カゴ９には、異なった着色が施されているものである。
【００１３】
請求項３記載の考案は、請求項１記載の万引き防止用具において、買物用カゴ８と会計用カゴ９には、当該カゴが買物用カゴあるいは会計用カゴであることを示す表示が施されているものである。
【００１４】
請求項４記載の考案は、請求項１記載の万引き防止用具において、買物用カゴ８と会計用カゴ９は、互いに異なった形状に構成されているものである。
【００１５】
請求項５記載の考案は、請求項１ないし請求項４記載の万引き防止用具において、商品棚の上面にはミラー１０が植設されているものである。
【００１６】
請求項６記載の考案は、請求項１ないし請求項５記載の万引き防止用具において、ミラー１０は支柱下端の吸盤で商品棚の上面に取り付け可能に構成されていると共に、ミラー本体は支柱に対して支持角度を調整自在に構成されているものである。
【考案の効果】
【００１７】
本考案は、上述のように構成されているので、下記のような効果を期待することができる。
１．万引き防止用具Ａの効果について
イ．買物用カゴと会計用カゴが明確に区別されているから、顧客と店員の双方の注意を引くことになり、万引きに対する店舗側の態度、対策を明確に感得し、万引き防止について顧客と店員の双方の意識を高めることができる。
【００１８】
ロ．仮に、不心得者が万引きをした後、店外に出ると買物用カゴを所持することになるから、確実かつ迅速に万引きしたことを確認することができ対処できる。
このようになることは不心得者にも当然判ることであるから、万引きを断念するようになることは明らかである。
昨今は、老人や未成年者の万引きの多発が問題になっているが、これらの問題を解決し、特に未成年者の万引きを防止し不良化を防止することができる。
【００１９】
ハ．店舗側からすれば、万引きによる損害を大幅に減少させることができ、店内の従来構造を変更する必要がなく、買物用カゴと会計用カゴを用意するだけですむから経済的にも有利である。
場合によっては、当該店舗が使用している従来のカゴを利用することができる。
【００２０】
２．他の実施例の万引き防止用具Ｂの効果について
イ．他の実施例の万引き防止用具Ｂは、買物用カゴと会計用カゴとミラーの三者からなるが、買物用カゴと会計用カゴからなる構成については、上述した万引き防止用具Ａと同様の効果を期待することができる。
【００２１】
ロ．さらに、他の実施例の万引き防止用具Ｂにおいては、上記万引き防止用具Ａの効果に加え、下記の効果を期待することができる。
商品棚２Ａ、２Ａの上面には、ミラー１０が植設されているから、何処からでも監視している状態となるので万引き防止効果をより高めることができる。
しかも、このミラー１０は吸盤を利用して商品棚２Ａ、２Ａ...の上面に吸着して取り付けるよう構成されているから、所望する商品棚に移動して取り付けることができる。
加えて、ミラー本体１０Ｄが角度調整自在に構成されているから、設置場所において最良の状態の角度にして使用することができる。
【考案を実施するための最良の形態】
【００２２】
以下、図面を参照して本考案の実施の形態の詳細を説明する。
Ａは本考案の万引き防止用具である。
その構成は、下記の構成を有するスーパーマーケット、コンビニエンスストア、家電の量販店などの店舗の店内１で使用する買物用カゴ８と会計用カゴ９から構成されている。
【００２３】
まず、買物用カゴ８と会計用カゴ９の構成を説明する。
イ．図７を参照して、買物用カゴ８は、カゴ本体８Ａと取手８Ｂから構成されているが、公知のものである。
ロ．図８を参照して、会計用カゴ９は、カゴ本体９Ａと取手９Ｂから構成され、買物用カゴ８と同一構造であるが、当該買物用カゴ８の着色とは異なる着色９Ｃが施されている。
この会計用カゴの着色９Ｃは、買物用カゴ８とは明確に区別できる色であればよいので
、所望する色を適宜採用することができる。
【００２４】
ハ．図９を参照して、９１は他の実施例の会計用カゴである。
その構成は、カゴ本体９１Ａと取手９１Ｂから構成され、会計用カゴ９と同一構造であるが、カゴ本体９１Ａの側面部には表示用パネル９１Ｃが添着され、この表示用パネルには例えば「会計用カゴ」などの表示９１Ｄが施されている。
この「会計用カゴ」などの表示９１Ｄは、会計用カゴであることが、買物用カゴと明確に区別できる表示であればよいので、「会計用カゴ」の表示内容に限ることなく適宜のものを採用することができる。
なお、図示は省略するが、買物用カゴ８の方に買物用カゴであることを示す表示をして
もよい。
【００２５】
ついで、図３、４、７、８を参照して、万引き防止用具Ａにおける下記の店舗の店内１と買物用カゴ８と会計用カゴ９との関係を説明する。
店舗の店内１には商品部２、レジ部３、整理部４が設けられている。
【００２６】
イ．商品部２は、適数個の商品棚２Ａ、２Ａ...を配設して構成され、商品棚には各種商品が陳列されている。
この商品部２は公知のものである。
ロ．５は顧客で、買物用カゴ８を使用して買い物をしている。
【００２７】
ハ．レジ部３は適数個の会計台３Ａ、３Ａ...を配設して構成されている。
会計台３Ａには顧客の通路３Ｂに沿って会計用処理台３Ｃが設けられ、会計用処理台３Ｃの上面には商品部２側から整理部４側に向けて順に、買物カゴ載置面３Ｃ１と中央のＰＯＳ端末器設置面３Ｃ２と会計カゴ載置面３Ｃ３が設けられている。なお、ＰＯＳ端末器設置面には公知のＰＯＳ端末器３Ｃ２１が配設されている。
また、会計台の近傍には、空の会計用カゴ９が積層されている。
店員７は精算に際して、この空の会計用カゴ９を取り出し会計カゴ載置面３Ｃ３上に置き、会計処理に使用することになる。
会計処理後、回収された使用済みの買物用カゴ８は会計台の近傍に積層状態で保管される。
二．整理部４は、レジ部３から少し離れた位置をもって配設された適数個の整理台４Ａ、４Ａ...から構成されている。
【００２８】
万引き防止用具Ａの使用状態を説明する。
イ．顧客は買物用カゴ８を使用して買い物をした後、買物用カゴをレジ部３の会計用処理台３Ｃにおける買物カゴ載置面３Ｃ１上に置く。
ロ．店員は買物用カゴ８内の商品を取り出しＰＯＳ端末器３Ｃ２１で処理し、会計カゴ載置面３Ｃ３に載せた会計用カゴ９にその商品を入れる。
これと同時に、その店の商標を付している包装袋（図示略）などを会計用カゴにサービスとして入れる。
ハ．顧客は代金を支払う。
二．そののち、顧客は商品が入っている会計用カゴ９を持って整理台４Ａに行き、商品を整理して店外に出る。
【００２９】
Ｂは他の実施例の万引き防止用具である。
その構成は、下記店舗の店内１で使用する買物用カゴ８と会計用カゴ９とミラー１０から構成されている。
【００３０】
イ．買物用カゴ８は、図７に示す通りカゴ本体８Ａと取手８Ｂから構成されている。
ロ．会計用カゴ９は、図８に示す通りカゴ本体９Ａと取手９Ｂから構成されている。
ハ．ミラー１０は、図１０を参照して、所定高さの支柱１０Ａの下端に吸盤１０Ｂを下方に向け取り付け、上端には球１０Ｃ１と球面受け１０Ｃ２からなる自在継手１０Ｃを介してミラー本体１０Ｄを取り付け構成されている。従って、ミラー本体１０Ｄは角度調整自在の状態で支持されていることになる。
【００３１】
ついで、図５〜１０を参照して、他の実施例の万引き防止用具Ｂにおける店舗の店内１と買物用カゴ８と会計用カゴ９とミラー１０との関係を説明する。
【００３２】
店舗の店内１には商品部２、レジ部３、整理部４が設けられている。
これら商品部２、レジ部３、整理部４の構造は、上記万引き防止用具Ａにおける商品部２、レジ部３、整理部４の構造と同一に構成されている。
【００３３】
他の実施例の万引き防止用具Ｂにあっては、商品部２を構成する適数個の商品棚２Ａ、２Ａ...の上面には、ミラー１０が吸盤１０Ｂを利用して植設されている。
イ．店舗の店内１と買物用カゴ８と会計用カゴ９との関係は、上記万引き防止用具Ａの場合と同一である。
ロ．店舗の店内１とミラー１０の関係は下記の通りである。
顧客は買物用カゴを利用しながら、ミラー１０が取り付けられている商品棚から所望する商品を取り出すことになる。
【実施例】
【００３４】
実施例は下記の通りである。
買物用カゴ８と会計用カゴ９については、着色の違い、会計用カゴの表示などを例に説明したが、買物用カゴ８と会計用カゴ９とが明確に区別できれば良いのであるから、買物用カゴ８と会計用カゴ９の形状や大きさを異なるものに構成しても良い。
また、ミラー１０については、商品棚の上面のみにではなく店内の所望する箇所に取り付けることができる。
【図面の簡単な説明】
【００３５】
【図１】従来の店内構成と顧客が買い物をしている状態を説明する平面図である。
【図２】同上の要部の斜視図である。
【図３】本考案の店内構成と顧客が買い物をしている状態を説明する平面図である。
【図４】同上の要部の斜視図である。
【図５】他の実施例の店内構成と顧客が買い物をしている状態を説明する平面図である。
【図６】同上の要部の斜視図である。
【図７】買物用カゴの斜視図である。
【図８】会計用カゴの斜視図である。
【図９】他の実施例の会計用カゴの斜視図である。
【図１０】ミラーの一部を切り欠いた正面図である。
【符号の説明】
【００３６】
Ａ  本考案の万引き防止用具
１  店舗の店内
２  商品部
３  レジ部
４  整理部
８  買物用カゴ
９  会計用カゴ
Ｂ  他の実施例の万引き防止用具
１０  ミラー
【図１】
0003139716.tif 000003
【図２】
0003139716.tif 000004
【図３】
0003139716.tif 000005
【図４】
0003139716.tif 000006
【図５】
0003139716.tif 000007
【図６】
0003139716.tif 000008
【図７】
0003139716.tif 000009
【図８】
0003139716.tif 000010
【図９】
0003139716.tif 000011
【図１０】
0003139716.tif 000012